(57)【特許請求の範囲】
【請求項１】
雄ねじ部と、雄ねじ部の下端に設けた六角部と、前記六角部の下端に設け自動販売機の据付個所に当接するプレート部とを有し、自動販売機の底部四隅に進退自在に突設され当該自動販売機据付時の水平度を調節する水平度調節脚に適用する自動販売機の簡易梱包部材において、
前記雄ねじ部の外周面を被覆し、かつ自身の内周面に前記六角部の外周面が当接するとともに、自身の下端部が前記プレート部の上端部に当接する態様で当該水平度調節脚に装着されるとともに当該水平度調節脚から除去可能に形成された紙製の内筒と、
前記内筒およびプレート部の外周面を被覆し、かつ、当該内筒から除去可能に形成され、前記自動販売機を支持する紙製の外筒と
を備え、
前記内筒には、上端から下端に亘る態様で形成し、幅を拡げた場合には、前記雄ねじ部および前記六角部が通過することを許容するスリット部を設けたことを特徴とする自動販売機の簡易梱包部材。
【請求項２】
内筒をモールド成形により形成したことを特徴とする請求項１に記載の自動販売機の簡易梱包部材。
【発明の詳細な説明】
【０００１】
【発明の属する技術分野】
この発明は、自動販売機の簡易梱包部材に関し、さらに詳しくは、自動販売機輸送時の耐久性と良好な荷扱いを担保できるとともに、梱包コストを大幅に低減でき、しかも環境に優しい自動販売機の簡易梱包部材に関する。
【０００２】
【従来の技術】
大型で重量の大きい自動販売機は、工場出荷時に段ボール箱による全体梱包が困難である。このため、木製角材を枠状に組み合わせて頑強に形成された木枠台に自動販売機を載置し、その状態でビニールカバーで覆い、バンド固定することによって、トラック輸送時やフォークリフト等による据付時の破損防止に備えている。
【０００３】
図１０は、従来の木枠台を示す斜視図、図１１は、木枠台により梱包された自動販売機を示す部分斜視図、図１２は、木枠台の角部を示す拡大斜視図である。自動販売機１の底部四隅には、設置場所にて水平出しを行うための水平度調節脚としてのレベリングスクリュ２が進退自在に突設されている。木枠台２０は、木製角材を枠状に組み合わせて形成され、レベリングスクリュ２を挿通できるように、穴２１および隙間部２２を備えている。このような木枠台２０に載置された自動販売機１は、透明カバー材（図示せず）および結束バンド２３にて梱包され、出荷される。
【０００４】
【発明が解決しようとする課題】
しかしながら、従来の木枠台による梱包は、大量の木材を使用するとともに、開梱後は廃棄処分されることが一般的であるため、森林・環境保護の見地から好ましくなく、また梱包コストが嵩むという課題があった。
【０００５】
この発明は、上記に鑑みてなされたものであって、自動販売機輸送時の耐久性と良好な荷扱いを担保できるとともに、梱包コストを大幅に低減でき、しかも環境に優しい自動販売機の簡易梱包部材を提供することを目的とする。
【０００６】
【課題を解決するための手段】
上述の目的を達成するために、この発明の請求項１にかかる自動販売機の簡易梱包部材は、雄ねじ部と、雄ねじ部の下端に設けた六角部と、前記六角部の下端に設け自動販売機の据付個所に当接するプレート部とを有し、自動販売機の底部四隅に進退自在に突設され当該自動販売機据付時の水平度を調節する水平度調節脚に適用する自動販売機の簡易梱包部材において、前記雄ねじ部の外周面を被覆し、かつ自身の内周面に前記六角部の外周面が当接するとともに、自身の下端部が前記プレート部の上端部に当接する態様で当該水平度調節脚に装着されるとともに当該水平度調節脚から除去可能に形成された紙製の内筒と、前記内筒およびプレート部の外周面を被覆し、かつ、当該内筒から除去可能に形成され、前記自動販売機を支持する紙製の外筒とを備え、前記内筒には、上端から下端に亘る態様で形成し、幅を拡げた場合には、前記雄ねじ部および前記六角部が通過することを許容するスリット部を設けたことを特徴とする。
【０００７】
自動販売機への組み付け作業は工場で行われ、外筒に圧入された内筒に雄ねじ部を有した水平度調節脚を嵌入し、この水平度調節脚を、工具による押圧摩擦力によって当該自動販売機基台の雌ねじ部材にねじ込む。
【０００８】
そして、自動販売機は、たとえば、透明なポリエチレン製のカバーによって被覆され、さらに紙製の断面Ｌ字状のカバー材を介して結束バンドにて梱包された状態で工場から出荷される。
【０００９】
据付現場においては、自動販売機をフォークリフトあるいはジャッキ等によって据付面より浮かせた状態で、当該自動販売機の外面から突出した外筒の上面を叩いて除去する。つぎに、内筒を水平度調節脚から除去するため、例えば内筒に形成したスリットを押し広げることによって、水平度調節脚から除去する。
【００１０】
そして、自動販売機を据付面に設置し、水平度調節脚を工具で回すことによって前記基台からの突出量を調節し、水平出し作業を行う。水平出し作業後、結束バンド、カバー材、カバーを外すことにより、据付・開梱作業が終了する。
【００１１】
したがって、従来の木枠台が不要となり、輸送時の耐久性と良好な荷扱いを担保できるとともに、梱包コストを大幅に低減できる。
【００１２】
また、自動販売機の輸送時に、内筒および外筒によって水平度調節脚を保護しつつ、トラック等の荷台面に対する滑り止めも実現できる。さらに、水平度調節脚を圧入保持しているので、輸送時に振動しても水平度調節脚が緩まない。
【００１３】
また、内筒および外筒が紙製であるので、押圧力がかかっても自動販売機あるいはトラック等の荷台面に傷がつくのを防止できる。さらに、紙製であるので再利用可能であり、仮に廃棄処理する場合であっても、廃棄物量を従来よりも大幅に低減でき、環境に優しい梱包手段を提供できる。
【００１４】
また、この発明の請求項２にかかる自動販売機の簡易梱包部材は、内筒をモールド成形により形成したものである。これにより、再生紙の活用を促進でき、環境に優しい梱包手段を提供できる。
【００１５】
【発明の実施の形態】
以下、この発明にかかる自動販売機の簡易梱包部材の実施の形態につき図面を参照しつつ詳細に説明する。なお、この実施の形態によりこの発明が限定されるものではない。
【００１６】
実施の形態１．
図１は、この発明の実施の形態１にかかる自動販売機の簡易梱包部材を示す斜視図、図２は、レベリングスクリュカバーを示す組立斜視図、図３は、レベリングスクリュカバーにレベリングスクリュを組み付ける様子を示す斜視図、図４は、レベリングスクリュカバーと一体となったレベリングスクリュを基台に組み付ける様子を示す説明図、図５は、自動販売機に取り付けられたレベリングスクリュカバーを示す平面図である。なお、以下の説明において、すでに説明した部材と同一もしくは相当する部材には、同一の符号を付して重複説明を省略する。
【００１７】
図２〜図４に示すように、レベリングスクリュカバー３は、スリット４ａを有しレベリングスクリュ２を挿通可能な円筒状の内筒４と、この内筒４を圧入可能な外筒５とから構成されている。これら内筒４および外筒５は、繊維密度が高く座屈強度の大きい紙管原紙によって形成されている。
【００１８】
また、内筒４は、レベリングスクリュ２の六角部２ａを嵌入できる内径と、プレート部２ｂの外径よりも若干大きく、かつ、外筒５の内径よりも若干大きな外径とを有するように形成されている。スリット部４ａは、スリット幅を縮めることによって内筒４を外筒５に圧入できるようにするとともに、自動販売機１の据付時に外筒５を除去した後、スリット幅を広げることによってレベリングスクリュ２から容易に除去できるように形成したものである。
【００１９】
また、内筒４の高さは、内部に圧入されたレベリングスクリュ２を、自動販売機１底部の基台１ａに設けられた雌ねじ部材１ｂに適宜量ねじ込めるように形成されている。
【００２０】
外筒５は、内筒４を圧入できる内径を有し、かつ、基台１ａと据付面との間にフォークリフトのリフトアーム部を入れることができる高さを有し、そして、外筒５の外径寸法は、図５に示すように、外筒５の一部が自動販売機１の外面から適宜量突出するように設定されている。また、外筒５は、自動販売機１の重量によって座屈しない強度を備えている。
【００２１】
このように形成されたレベリングスクリュカバー３の自動販売機１への組み付け作業は工場で行われ、図４に示すように、外筒５に圧入された内筒４にレベリングスクリュ２を嵌入し、このレベリングスクリュ２を、工具６の回転部６ａによる押圧摩擦力によって基台１ａの雌ねじ部材１ｂにねじ込む。
【００２２】
そして、図１に示すように、自動販売機１は、透明なポリエチレン製のカバー７によって被覆され、さらに紙製の断面Ｌ字状のカバー材８，９を介して結束バンド１０にて梱包された状態で工場から出荷される。
【００２３】
据付現場においては、自動販売機１をフォークリフトあるいはジャッキ等によって据付面より浮かせた状態で、自動販売機１の外面から突出した外筒５の上面を叩いて除去する（図５参照）。つぎに、内筒４のスリット４ａを押し広げることによって、内筒４をレベリングスクリュ２から除去する。
【００２４】
そして、自動販売機１を据付面に設置し、レベリングスクリュ２の六角部２ａを工具で回すことによって基台１ａからの突出量を調節し、水平出し作業を行う。水平出し作業後、結束バンド１０、カバー材８，９、カバー７を外すことにより、据付・開梱作業が終了する。
【００２５】
以上のように、この実施の形態１にかかる自動販売機の簡易梱包部材によれば、従来の木枠台２０の代わりにレベリングスクリュカバー３を用いることにより、輸送時の耐久性と良好な荷扱いを担保できるとともに、梱包コストを大幅に低減できる。
【００２６】
また、自動販売機１の輸送時に、レベリングスクリュカバー３によってレベリングスクリュ２を保護しつつ、トラック等の荷台面に対する滑り止めも実現できる。さらに、レベリングスクリュ２を圧入保持しているので、輸送時に振動してもレベリングスクリュ２が緩まない。
【００２７】
また、レベリングスクリュカバー３が紙製であるので、押圧力がかかっても自動販売機１あるいはトラック等の荷台面に傷がつくのを防止できる。さらに、レベリングスクリュカバー３およびカバー材８，９は紙製であるので、再利用可能であり、仮に廃棄処理する場合であっても、廃棄物量を従来よりも大幅に低減でき、環境に優しい梱包手段を提供できる。
【００２８】
なお、上記実施の形態１においては、内筒４および外筒５を円筒形状に形成するものとして説明したが、これに限定されず、例えば、角筒形状やその他の形状に形成してもよい。
【００２９】
実施の形態２．
図６は、この発明の実施の形態２にかかるレベリングスクリュカバーの内筒を示す斜視図、図７は、内筒を示す平面図、図８は、内筒を示す縦断面図、図９は、レベリングスクリュおよびレベリングスクリュカバーの自動販売機への取付状態を示す断面図である。
【００３０】
内筒１５は、パルプモールド成形されている。スリット１５ａは、上述したスリット４ａと同様の趣旨で設けたものである。内筒１５の挿通部１５ｂは、レベリングスクリュ２を嵌入し、拡径凹部１５ｃは六角部２ａを嵌入できるように形成されている。また、内筒１５の外径や高さは、実施の形態１に示した機能を担保できるように設定されている。なお、その他の構成および組み付け動作等は、上記実施の形態１の場合と同様であるので、説明を省略する。
【００３１】
以上のように、この実施の形態２にかかる自動販売機の簡易梱包部材によれば、上記実施の形態１の場合と同様の効果が得られるほか、パルプモールド成形による内筒１５を用いることにより、再生紙の活用を促進でき、環境に優しい梱包手段を提供できる。
【００３２】
なお、内筒１５の形状は、図示例のものに限定されないことは言うまでもない。
【００３３】
【発明の効果】
以上説明したように、この発明にかかる自動販売機の簡易梱包部材（請求項１）によれば、自動販売機の底部四隅に進退自在に突設され当該自動販売機据付時の水平度を調節する水平度調節脚を被覆するように当該水平度調節脚に装着されるとともに当該水平度調節脚から除去可能に形成された紙製の内筒と、前記内筒を被覆し、かつ、当該内筒から除去可能に形成され、前記自動販売機を支持する紙製の外筒とを備えたので、従来の木枠台が不要となり、輸送時の耐久性と良好な荷扱いを担保できるとともに、梱包コストを大幅に低減でき、しかも環境保全にも寄与できる。
【００３４】
また、この発明にかかる自動販売機の簡易梱包部材（請求項２）によれば、内筒をモールド成形により形成したので、再生紙の活用を促進でき、環境保全に寄与できる。
【図面の簡単な説明】
【図１】この発明の実施の形態１にかかる自動販売機の簡易梱包部材を示す斜視図である。
【図２】レベリングスクリュカバーを示す組立斜視図である。
【図３】レベリングスクリュカバーにレベリングスクリュを組み付ける様子を示す斜視図である。
【図４】レベリングスクリュカバーと一体となったレベリングスクリュを基台に組み付ける様子を示す説明図である。
【図５】自動販売機に取り付けられたレベリングスクリュカバーを示す平面図である。
【図６】この発明の実施の形態２にかかるレベリングスクリュカバーの内筒を示す斜視図である。
【図７】内筒を示す平面図である。
【図８】内筒を示す縦断面図である。
【図９】レベリングスクリュおよびレベリングスクリュカバーの自動販売機への取付状態を示す断面図である。
【図１０】従来の木枠台を示す斜視図である。
【図１１】木枠台により梱包された自動販売機を示す部分斜視図である。
【図１２】木枠台の角部を示す拡大斜視図である。
【符号の説明】
１  自動販売機
２  レベリングスクリュ
３  レベリングスクリュカバー
４  内筒
４ａ  スリット
５  外筒
７  カバー
８、９  カバー材
１０  結束バンド
１５  内筒
１５ａ  スリット
【図１】
0004123695.tif 000002
【図２】
0004123695.tif 000003
【図３】
0004123695.tif 000004
【図４】
0004123695.tif 000005
【図５】
0004123695.tif 000006
【図６】
0004123695.tif 000007
【図７】
0004123695.tif 000008
【図８】
0004123695.tif 000009
【図９】
0004123695.tif 000010
【図１０】
0004123695.tif 000011
【図１１】
0004123695.tif 000012
【図１２】
0004123695.tif 000013